(57)【要約】【課題】  相変化型情報記録媒体にオリジナルから不正コピーされたデータの使用を確実に防止することで、不正コピーに対して適正な対応をとれるようにする。【解決手段】  相変化型情報記録媒体の正当性判断装置３はパワーキャリブレーションエリアの物理消去を行う物理消去機能と、パワーキャリブレーションエリアの記録状態の取得する取得機能と、パワーキャリブレーションエリアが記録状態であれば正当と判断する正当性判断機能を有する主制御装置３５を備える。【選択図】  図１
2006260626.tif 000002
【特許請求の範囲】
【請求項１】
テストエリアとカウントエリアよりなるパワーキャリブレーションエリアにＲＯＭピットを有する相変化型情報記録媒体。
【請求項２】
パワーキャリブレーションエリアの物理消去を行う物理消去手順と、パワーキャリブレーションエリアの記録状態を取得する取得手順と、パワーキャリブレーションエリアが記録状態であれば正当と判断する正当性判断手順とからなる請求項１に記載の相変化型情報記録媒体の正当性判断方法。
【請求項３】
読み取り専用領域と読み書き可能な領域とを有し、前記読み取り専用領域に請求項２に記載された取得手順と正当性判断手順とをコンピュータに実行させるためのプログラムを記録したコンピュータ読み取り可能な相変化型情報記録媒体。
【請求項４】
パワーキャリブレーションエリアの物理消去を行う物理消去機能と、パワーキャリブレーションエリアの記録状態の取得する取得機能と、パワーキャリブレーションエリアが記録状態であれば正当と判断する正当性判断機能を有する主制御装置を備えた請求項１に記載の相変化型情報記録媒体の正当性判断装置。
【発明の詳細な説明】
【技術分野】
【０００１】
この発明は、相変化型情報記録媒体、相変化型情報記録媒体に記録されたデータが正当にコピーされたものか不正にコピーされたものかを判断する相変化型情報記録媒体の正当性判断方法及び相変化型情報記録媒体の正当性判断装置に関する。
【背景技術】
【０００２】
情報を記録する光ディスクとして、ＣＤ、ＣＤ−ＲＯＭ等の光ディスク（記録媒体）が広く普及している。それらの光ディスクは、再生専用光ディスクであり、工場で多量に生産される。
【０００３】
再生専用光ディスクは、原盤露光装置で原盤上に形成されたピット列をスタンパに転写（「マスタリング」と呼ばれる）し、そのスタンパを型として成形基板に転写し、その成形基板に反射膜、保護膜等を付与することにより、ピットとして時間情報（ヘッダアドレス：物理アドレス）と共にデジタルデータを記録したデータ構造を備えており、そのピットに記録された時間情報に基づいてデータを再生している。
【０００４】
これに対して、書き込み可能な光ディスクとして、ＣＤ−Ｒ（ＣＤ−Ｒｅｃｏｒｄａｂｌｅ）ディスク、ＣＤ−ＲＷ（ＣＤ−Ｒｅｗｒｉｔａｂｌｅ）ディスクが広く普及している。
【０００５】
上述した光ディスクは、全面に時間情報が記録されたグルーブが形成されており、そのグルーブが形成された成形基板の上に記録膜（ＣＤ−Ｒでは色素等、ＣＤ−ＲＷでは相変化膜）、反射膜、保護膜等が形成されており、記録された時間情報に一致するようにＣＤ−Ｒ ／ＲＷ ライタでピットを書き込むことにより、ヘッダアドレス（時間情報）とデータとを記録するような構造になっている。
【０００６】
ＣＤフォーマットでは、リードインエリア（Ｌｅａｄ−Ｉｎ Ａｒｅａ：ＬＩＡ）とリードアウトエリア（Ｌｅａｄ−Ｏｕｔ Ａｒｅａ：ＬＯＡ）に挟まれたプログラムエリア（Ｐｒｏｇｒａｍ Ａｒｅａ：ＰＡ）からなる単位をセッションと称し、複数のセッションを持つものをマルチセッションディスクと呼ぶ。
【０００７】
その中でも、一部にプリピットが再生専用領域（読み取り専用領域）に形成されたデータ構造を持つものがあり、そのようなデータ構造を持つＣＤ−Ｒ ディスクやＣＤ−ＲＷ ディスクはハイブリッドディスクと呼ばれている。
【０００８】
また、ＬＩＡの内周にはプログラムメモリーエリア（Ｐｒｏｇｒａｍ Ｍｅｍｏｒｙ Ａｒｅａ：ＰＭＡ）、パワーキャリブレーションエリア（Ｐｏｗｅｒ Ｃａｌｉｂｒａｔｉｏｎ Ａｒｅａ：ＰＣＡ）が設けられている。
【０００９】
ＰＣＡは最適記録パワーのキャリブレーション（Ｏｐｔｉｍｕｍ Ｐｏｗｅｒ Ｃｏｎｔｒｏｌ：ＯＰＣ）に用いられ、リードイン開始時間（Ｓｔａｒｔ Ｔｉｍｅ ｏｆ ｔｈｅ Ｌｅａｄ−Ｉｎ Ａｒｅａ：ＬＩＳＴ）の１３秒５５フレーム前から１５秒０５フレーム前までの１００フレーム（１秒は７５フレーム）をＣＡと称し、１５秒３５フレーム前から３５秒３５フレーム前までの１５００フレームをＴＡと称する。
【００１０】
ＣＤ−ＲＷではライタが記録に際してＯＰＣを行う場合、ＴＡに１５フレーム単位でテスト記録（通常異なるパワーでの記録）を行い、１フレーム単位で対応するＣＡに信号を記録する。次にＣＤ−ＲＷライタがＯＰＣを行う場合は、記録信号の存在する最内周のＣＡのアドレスを検知し使用するＴＡのアドレスを決定する。
【００１１】
ＣＤ−ＲＷライタは最内周のＣＡにＥＦＭ信号を検知すると、ＴＡが全て使用されたとしてＰＣＡに対して物理消去（Ｐｈｙｓｉｃａｌ Ｅｒａｓｅ）を行う。オール”００”のＥＦＭ信号を記録する論理消去（Ｌｏｇｉｃａｌ Ｅｒａｓｅ）と異なり、物理消去を行った領域は高反射率の未記録状態になりＥＦＭ信号が存在しない。
【００１２】
ここに、上述したような再生専用光ディスク＝オリジナルディスクに記録されている情報はデジタル情報であり、コピーしても劣化しないことと、記録可能なＣＤ−Ｒ／ＲＷライタあるいはＣＤ−Ｒ／ＲＷ、ＤＶＤ±Ｒ／ＲＷライタの普及に伴い、再生専用光ディスク等のオリジナル記録媒体に記録されたデータやアプリケーションプログラム等の情報が不正にコピーして使用されるという問題が生じている。
【００１３】
このような不正コピーの防止に関しては、例えば、特許文献１によれば、ドライブにマウントされた媒体が再生専用か、書換え可能かを判別し、再生専用媒体（オリジナル）と判別された場合はデータの再生を可とし、書換え可能媒体と判断された場合は再生を不可としており、媒体の識別方法として媒体に使われるカートリッジ形状の違い、あるいは媒体からの反射率の違いを用いている。
【００１４】
また、特許文献２によれば、ＩＤファイルの書換えができるか否かでオリジナルかコピー（書き換え可能媒体）かを判定するようにしている。
【特許文献１】特開平０６−３０２０９２号公報
【特許文献２】特開平０９−２７４７７４号公報
【発明の開示】
【発明が解決しようとする課題】
【００１５】
特許文献１の場合は、カートリッジを用いない媒体に関しては適用できず、また、媒体からの反射率の違いに関しては、オリジナルＣＤとコピーＣＤ−ＲＷとに着目しているが、オリジナルＣＤとコピーＣＤ−Ｒの媒体間では反射率は略同じであり、コピーＣＤ−Ｒの場合には適用できず、不正コピーに対する対応策として不十分である。
【００１６】
特許文献２の場合は、コピーされた記録可能媒体（ＣＤ−Ｒ等の１回のみ記録可能な媒体）に適用した場合には、ＩＤが既に記録（コピー）されているので、書換え動作が正常終了せず、オリジナルと判定されてしまう可能性があり、不正コピーに対する対応策として不十分である。
【００１７】
そこで本発明の目的は、相変化型情報記録媒体にオリジナルから不正コピーされたデータの使用を確実に防止することで、不正コピーに対して適正な対応をとれるようにすることである。
【課題を解決するための手段】
【００１８】
上記目的を達成するために、請求項１記載の発明は、テストエリアとカウントエリアよりなるパワーキャリブレーションエリアにＲＯＭピットを有する相変化型情報記録媒体を最も主要な特徴とする。
【００１９】
請求項２記載の発明は、パワーキャリブレーションエリアの物理消去を行う物理消去手順と、パワーキャリブレーションエリアの記録状態を取得する取得手順と、パワーキャリブレーションエリアが記録状態であれば正当と判断する正当性判断手順とからなる請求項１に記載の相変化型情報記録媒体の正当性判断方法を最も主要な特徴とする。
【００２０】
請求項３記載の発明は、読み取り専用領域と読み書き可能な領域とを有し、前記読み取り専用領域に請求項２に記載された取得手順と正当性判断手順とをコンピュータに実行させるためのプログラムを記録したコンピュータ読み取り可能な相変化型情報記録媒体を最も主要な特徴とする。
【００２１】
請求項４記載の発明は、パワーキャリブレーションエリアの物理消去を行う物理消去機能と、パワーキャリブレーションエリアの記録状態の取得する取得機能と、パワーキャリブレーションエリアが記録状態であれば正当と判断する正当性判断機能を有する主制御装置を備えた請求項１に記載の相変化型情報記録媒体の正当性判断装置を最も主要な特徴とする。
【発明の効果】
【００２２】
この発明によれば、光ディスク(相変化型情報記録媒体)がオリジナルか否かを簡易に判別でき、他の記録媒体に不正コピーされたプログラムの使用を防止することができる。
【発明を実施するための最良の形態】
【００２３】
以下、この発明の実施形態を図面に基づいて具体的に説明する。
図１はこの発明の実施形態に係る正当性判断装置としてのホストコンピュータと光ディスク装置からなる光ディスクドライブシステムのブロック図である。大容量のデータ（情報）を記録する記録媒体としてＣＤ−ＲＯＭ 、ＣＤ−Ｒ 、ＣＤ−ＲＷ等の光ディスクが使用されている。
【００２４】
ここで、ＣＤ−Ｒ ディスクとＣＤ−ＲＷ ディスクは、書き込みが可能な（記録可能な）ＣＤ（コンパクトディスク）である。前者のＣＤ−Ｒ（ＣＤレコーダブル）は、１回だけ書き込みが可能なＣＤである（なお、ＣＤ−Ｗｒｉｔｅ Ｏｎｃｅ ともいわれている）。また、後者のＣＤ−ＲＷ（ＣＤ イレーザブル）は、複数回の書き込みが可能なＣＤである（なお、ＣＤ−ＲＷ ：ＣＤ リライタブルともいわれている）。これらのＣＤ−Ｒ やＣＤ−ＲＷ ディスク、すなわち光ディスクは、図１に示すような光ディスクドライブシステム（情報処理システム）で利用される。
【００２５】
図１に示すように、この光ディスクドライブシステムは、正当性判断装置を構成するホストコンピュータ３に光ディスク装置（光ディスクドライブ）１が通信ケーブル２を介してデータのやり取りが可能に接続されている。ホストコンピュータ３は、入力装置３１、表示装置３２、記録装置（ハードディスク：ＨＤＤ ）３３、インタフェイス３４、主制御装置３５などを備えている。
【００２６】
入力装置３１は、例えばキーボード、マウス及びポインティングデバイスなどのうち少なくとも１つの入力媒体（図示省略）を備えており、ユーザから入力された各種情報を主制御装置３５に通知する。なお、入力媒体からの情報はワイヤレス方式で入力されても良い。
【００２７】
表示装置３２は、例えばＣＲＴ 、液晶ディスプレイ（ＬＣＤ ）及びプラズマディスプレイパネル（ＰＤＰ ）などの表示部（図示省略）を備えており、主制御装置３５からの各種情報を表示する。また、表示装置３２と入力装置３１とが一体化したものとして、例えばタッチパネル付きＣＲＴ などがある。
【００２８】
記録装置３３には、主制御装置３５のマイクロコンピュータで解読可能なコードで記述されたプログラムが格納されている。なお、ホストコンピュータ３の駆動電源がオン状態になると、上記プログラムは主制御装置３５のメインメモリにロードされる。
【００２９】
インタフェイス３４は、光ディスク装置１との双方向の通信インタフェイスであり、ＡＴＡＰＩ及びＳＣＳＩ等の標準インタフェイスに準拠している。インタフェイス３４は、光ディスク装置１のＡＴＡＰＩ ／ＳＣＳＩ ・インタフェイス（Ｉ ／Ｆ ）２５(図２に示す)と接続されている。なお、各インタフェイス間の接続形態は、通信ケーブル（例えばＳＣＳＩ ケーブル）２などの通信線を用いたケーブル接続だけでなく、赤外線などを利用したワイヤレス接続であっても良い。
【００３０】
主制御装置３５は、マイクロコンピュータ、メインメモリ（いずれも公知なので図示を省略）などを含んで構成されており、ホストコンピュータ３の全体を制御する。
【００３１】
また、ホストコンピュータ３はオペレーティングシステム（以下「ＯＳ 」という）を搭載している。そして、ホストコンピュータ３を構成する全てのデバイスはＯＳ によって管理されている。
【００３２】
図２は図１に示す光ディスク装置のブロック図である。図２に示すように、光ディスク装置１は、ＲＯＭ１１、ＲＡＭ１２、ＣＰＵ１３、スピンドルモータ１４、光ピックアップ１５、レーザコントロール回路（レーザコントローラ）１６、ＣＤ エンコーダ１７、ＣＤ−ＲＯＭ エンコーダ１８、ＡＴＩＰ デコーダ１９、バッファＲＡＭ２０、バッファマネージャ２１、リードアンプ２２、ＣＤ デコーダ２３、ＣＤ−ＲＯＭ デコーダ２４、ＡＴＡＰＩ ／ＳＣＳＩインタフェイス２５、モータドライバ２６、サーボ２７、Ｄ／Ａコンバータ２８などからなり、光ディスク４に対する情報の記録及び再生を行う。同図において、矢印はデータが主に流れる方向を示している。
【００３３】
ＲＯＭ１１には、ＣＰＵ１３にて解読可能なコードで記述された制御プログラムが格納されている。なお、光ディスク装置１の電源がオン状態になると、上記プログラムは図示を省略した公知のメインメモリにロードされ、ＣＰＵ１３はそのプログラムに従って上記各部の動作を制御すると共に、制御に必要なデータ等を一時的にＲＡＭ１２に保存する。
【００３４】
光ディスク４は、スピンドルモータ１４によって回転駆動される。このスピンドルモータ１４は、モータドライバ２６とサーボ２７により、線速度が一定になるように制御される。この線速度は、階段的に変更することが可能である。
【００３５】
光ピックアップ１５は、図示を省略した公知の半導体レーザ光源（ＬＤ ）、光学系、フォーカスアクチュエータ、トラックアクチュエータ、受光素子（ＰＤ ）及びポジションセンサ等を内蔵しており、レーザ光ＬＢを光ディスク４に照射する。また、この光ピックアップ１５は、シークモータによってスレッジ方向への移動が可能である。
【００３６】
これらのフォーカスアクチュエータ、トラックアクチュエータ、シークモータは、受光素子とポジションセンサから得られる信号に基いて、モータドライバ２６とサーボ２７により、レーザ光ＬＢのスポットが光ディスク４上の目的の場所に位置するように制御される。
【００３７】
そして、リード時には、光ピックアップ１５によって得られた再生信号が、リードアンプ２２で増幅されて２値化された後、ＣＤデコーダ２３に入力される。入力された２値化データは、このＣＤデコーダ２３において、ＥＦＭ（Ｅｉｇｈｔ ｔｏ Ｆｏｕｒｔｅｅｎ Ｍｏｄｕｌａｔｉｏｎ ）復調される。
【００３８】
なお、記録データは、８ビットずつまとめられてＥＦＭ変調されており、このＥＦＭ変調では、８ビットを１４ビットに変換し、結合ビットを３ビット付加して合計１７ビットにする。この場合に、結合ビットは、それまでの「１」と「０ 」の数が平均的に等しくなるように付けられる。これを「ＤＣ成分の抑制」といい、ＤＣ カットされた再生信号のスライスレベル変動が抑圧される。
【００３９】
復調されたデータは、デインターリーブとエラー訂正の処理が行われる。その後、このデータは、ＣＤ−ＲＯＭ デコーダ２４へ入力され、データの信頼性を高めるために、さらに、エラー訂正の処理が行われる。このように２回のエラー訂正の処理が行われたデータは、バッファマネージャ２１によって一旦バッファＲＡＭ２０に蓄えられ、セクタデータとして揃った状態で、ＡＴＡＰＩ ／ＳＣＳＩインタフェイス２５を介して、ホストコンピュータ３へ一気に転送される。
【００４０】
なお、音楽データの場合には、ＣＤデコーダ２３ から出力されたデータが、Ｄ／Ａコンバータ２８へ入力され、アナログのオーディオ出力信号Ａｕｄｉｏ として取り出される。
【００４１】
また、ライト時には、ＡＴＡＰＩ ／ＳＣＳＩインタフェイス２５を通して、ホストコンピュータ３から送られてきたデータは、バッファマネージャ２１によって一旦バッファＲＡＭ２０に蓄えられる。
【００４２】
そして、バッファＲＡＭ２０内にある程度の量のデータが蓄積された状態で、ライト動作が開始されるが、この場合には、その前にレーザスポットを書き込み開始地点に位置させる必要がある。この地点は、トラックの蛇行により予め光ディスク４上に刻まれているウォブル信号によって求められる。
【００４３】
ウォブル信号には、ＡＴＩＰと呼ばれる絶対時間情報が含まれており、この情報が、ＡＴＩＰデコーダ１９によって取り出される。また、このＡＴＩＰデコーダ１９によって生成される同期信号は、ＣＤエンコーダ１７へ入力され、光ディスク４上の正確な位置へのデータの書き込みを可能にしている。
【００４４】
バッファＲＡＭ２０のデータは、ＣＤ−ＲＯＭ エンコーダ１８やＣＤエンコーダ１７において、エラー訂正コードの付加やインターリーブが行われ、レーザコントロール回路１６、光ピックアップ１５を介して、光ディスク４に記録される。
【００４５】
なお、ＥＦＭ変調されたデータは、ビットストリームとしてチャンネルビットレート４ ．３２１８Ｍｂｐｓ（標準速）でレーザを駆動する。この場合の記録データは、５８８ チャンネルビット単位でＥＦＭ フレームを構成する。チャンネルクロックとは、このチャンネルビットの周波数のクロックを意味する。
【００４６】
上記ホストコンピュータ３の主制御装置３５が、光ディスク装置１によって光ディスク４のＲＯＭ 領域（読み取り専用領域、再生専用領域）に記録されたプログラムを取得し、そのプログラムを実行することによってこの発明に係る記録媒体の正当性判断方法の処理（記録媒体正当性判断処理）を実行する。
【００４７】
図３は図１に示す光ディスクのディスクレイアウトの一例を示す図である。図３に示すように、この光ディスク４は第１セッション（Ｓｅｓｓｉｏｎ ）と第２セッション（Ｓｅｓｓｉｏｎ ）からなり、第１セッションが読み取り専用領域（ＲＯＭ 領域）であり、第２セッションが読み書き可能な領域（ＲＡＭ 領域）である。その第１セッションはこの発明に係るプログラムが記録されている第１トラックと、ＩＳＯ９６６０ファイルシステム上は存在しない第２トラック（ダミートラック）よりなる。
【００４８】
セッション内はリードインエリア（Ｌｅａｄ−Ｉｎ Ａｒｅａ ：ＬＩＡ ）、プログラムエリア（ＰＡ ）、リードアウトエリア（Ｌｅａｄ−Ｏｕｔ Ａｒｅａ ：ＬＯＡ ）からなり、プログラムエリア（ＰＡ ）内は１つ以上のトラック（Ｔｒａｃｋ ）からなる。
【００４９】
図４はインクリメンタル記録されたＣＤ−ＲＷのＰＣＡ、ＰＭＡの拡大模式図である(その１)。ＯＰＣが３回行われていて、ＴＡ、ＣＡの１〜３に信号が記録されている。
【００５０】
さらにＯＰＣが１００回行われ、ＴＡ、ＣＡの１〜１００に信号が記録されると、図５のようになる。さらにＰＣＡの物理消去を行うとＰＣＡは未記録状態になり、図６のようになる。
【００５１】
図７はインクリメンタル記録された本発明のＣＤ−ＲＷのＰＣＡ、ＰＭＡの拡大模式図である(その２)。予めＴＡ、ＣＡの１にＲＯＭピットが設けられていて、ＯＰＣが１回行われていて、ＴＡ、ＣＡの２に信号が記録されている。
【００５２】
図１０はこの光ディスクシステムにおける光ディスク利用時の処理を示すフローチャート図である。図１０のステップＳ１でアプリケーションプログラムを起動する。ついで、本発明の正当性判断方法（図１０、ステップＳ２）によりＰＣＡの物理消去を行う。物理消去を行うとＲＯＭピットのＴＡ、ＣＡの１は消去されないで、図８のようになる。
【００５３】
さらに正当性判断方法によりＣＡを再生し記録信号の存在が確認された場合、プログラムはその後の処理を継続する（図１０、ステップＳ３）。ここで、ディスクが従来のＣＤ−ＲＷであればＰＣＡは図６のようになり、記録信号の存在が確認されないのでプログラムはその後の処理を継続しない（図１０、ステップＳ３）。
【００５４】
図９はインクリメンタル記録された本発明のＣＤ−ＲＷのＰＣＡ、ＰＭＡの拡大模式図である(その３)。ＰＣＡのＲＯＭピットを設けた領域が異なるが、ＰＣＡは最低限記録に必要な分だけ残存している。本実施例ではＲＯＭピットを設けた領域の位置情報をディスク固有情報として利用することができる。
【図面の簡単な説明】
【００５５】
【図１】この発明の実施形態に係る正当性判断装置としてのホストコンピュータと光ディスク装置からなる光ディスクドライブシステムのブロック図である。
【図２】図１に示す光ディスク装置のブロック図である。
【図３】図１に示す光ディスクのディスクレイアウトの一例を示す図である。
【図４】インクリメンタル記録されたＣＤ−ＲＷのＰＣＡ、ＰＭＡの拡大模式図である(その１)。
【図５】図４に示すＣＤ−ＲＷの変化状態を示す図である(その１)。
【図６】図４に示すＣＤ−ＲＷの変化状態を示す図である(その２)。
【図７】インクリメンタル記録されたＣＤ−ＲＷのＰＣＡ、ＰＭＡの拡大模式図である(その２)。
【図８】図７に示すＣＤ−ＲＷの変化状態を示す図である。
【図９】インクリメンタル記録されたＣＤ−ＲＷのＰＣＡ、ＰＭＡの拡大模式図である(その３)。
【図１０】この光ディスクシステムにおける光ディスク利用時の処理を示すフローチャート図である。
【符号の説明】
【００５６】
３    ホストコンピュータ(正当性判断装置)
３１    入力装置
３２    表示装置
３３    記録装置
３４    インタフェイス
３５    主制御装置
【図１】
2006260626.tif 000003
【図２】
2006260626.tif 000004
【図３】
2006260626.tif 000005
【図４】
2006260626.tif 000006
【図５】
2006260626.tif 000007
【図６】
2006260626.tif 000008
【図７】
2006260626.tif 000009
【図８】
2006260626.tif 000010
【図９】
2006260626.tif 000011
【図１０】
2006260626.tif 000012